(57)【要約】【課題】  従来の回転するこませ籠は、撒餌を放出は出来ても放散させることは難しかった。また構造が複雑で製造に苦労していた。【解決手段】  円筒体に回転支持軸を回転自在に挿設した回転するこませ籠であって、回転支持軸の両端には孔を形成し、円筒体の外縁部には流出口を設け、外縁部内側に羽根を形設したことを特徴とする。これにより、撒餌を効果的に放散することが出来、さらに拡散することが出来る。【選択図】  図１
2006204270.tif 000002
【特許請求の範囲】
【請求項１】
円筒体に回転支持軸を回転自在に挿設したこませ籠であって、少なくとも該回転支持軸の上端部には孔を形成し、該円筒体の上蓋には流入口を設け、該円筒体の外縁部には適宜流出口を設け、該円筒体の外縁部内側に適枚数の羽根を形設したことを特徴とする回転こませ籠。
【請求項２】
回転支持軸の下端部に錘を固着させた請求項１記載の回転こませ籠。
【発明の詳細な説明】
【技術分野】
【０００１】  本発明は、釣りにおける撒餌を効果的に放散出来る回転こませ籠に関するものである。
【背景技術】
【０００２】  従来のこませ籠には、円筒体周縁外部に翼を設け、波の力でこませ籠を回転させ撒餌を放出させるものがある（例えば、特許文献１参照。）。【０００３】  また、スクリューを円筒体外部上端に装着してこませ籠を回転させ、遠心力によって撒餌を放出するものもある（例えば、特許文献２参照。）。【０００４】  或いは、円筒体の内部に回転羽根を配設し、回転羽根に連動した攪拌板を回転させ撒餌を放出するものもある（例えば、特許文献３参照。）。
【特許文献１】  特開昭６０−８３５２３号  公報
【特許文献２】  特開昭６３−１１２９４２号  公報
【特許文献３】  実開昭６０−７７３８０号  公報
【発明の開示】
【発明が解決しようとする課題】
【０００５】  以上に述べた、従来のこませ籠では、回転する力だけで撒餌を放出させたり、撒餌を攪拌させて放出させる方法であり、撒餌が効果的に海水中に散らばる事がなかった。
また、こませ籠の構造が複雑であり、こませ籠の製造には苦労していた。【０００６】  本発明は、従来のこませ籠が有していた問題を解決しようとするものであり、構造を簡便にし、撒餌が効果的に放散されるこませ籠を実現することを目的とするものである。
【課題を解決するための手段】
【０００７】  本発明は上記目的を達成するために第１の課題の解決手段は、回転支持軸と円筒体とからなり、少なくとも該回転支持軸の上端部には釣り糸を結ぶための孔を形成し、該円筒体の上蓋に海水の流入口を設け、該上蓋中央、底蓋中央にはそれぞれ軸挿入孔を穿設する。
また、該円筒体の外縁部には適宜流出口を設け、該流出口近傍に該円筒体を回転させるための羽根を適枚数形設する。
そして該円筒体の上蓋と底蓋の軸挿入孔に該回転支持軸を回転自在に挿設する。以上の構成よりなる回転こませ籠である。【０００８】  また、第２の課題解決手段は、こませ籠を重くするため回転支持軸の下端部に錘を固着させた構成よりなる回転こませ籠である。【０００９】  上記第１、第２の課題解決手段において、円筒体の形状を多角形の筒状にしてもよい。【００１０】  上記第１の課題解決手段による作用は次の通りである。
すなわち海中に投入したこませ籠が釣り竿の操作により引き上げられるとき円筒体の上蓋の流入口から海水が流入し、該円筒体の中を通過し流出口近傍に設けられた羽根に沿って流出口から海水が出ていくときに該円筒体が回転し遠心力が働く。
また、該円筒体の底蓋には開口部が設けられていないので海水は該円筒体と共に持ち上げられながら流出口から出ていく。
その結果、撒餌は海水が流出する流力と遠心力により四方に放散され、該円筒体の底蓋の作用により該円筒体の周囲の海水が攪拌され、撒餌はさらに四方八方に拡散される。【００１１】  また、こませ籠の投入時には海水が円筒体に流入するため少量の撒餌が流出するが、該こませ籠の沈下中には該円筒体の底蓋には開口部が設けられていないため海水が該円筒体に入り込まず、該円筒体の外縁部に設けられた流出口からは、わずかな海水しか流入しない。
したがって、初期の該こませ籠の投入時をのぞき、該こませ籠の沈下中には慣性の法則により該円筒体内の撒餌は海水中に放散されない。
このことは目視による実験で明らかである。【００１２】  また、第２の課題解決手段による作用は、回転支持軸の下端部に錘を固着させたことによりこませ籠自体が重くなり、目的とする深さまで素早く該こませ籠を沈めることが出来る。
【発明の効果】
【００１３】  上述したように本発明のこませ籠は、構造が簡単であり撒餌の放散効果の高いこませ籠を提供できる。【００１４】  また、錘を回転支持軸の下端部に固着させた為にこませ籠を深いところまで素早く沈下させることが出来、さらに該錘を円筒体本体に固着させていないので撒餌の放散時に該円筒体の回転に影響を与えることがない。
【発明を実施するための最良の形態】
【００１５】  以下、本発明の第１の実施の形態を図１〜図３に基づいて説明する。【００１６】  図においては、１はこませ籠本体であり、円筒体２と回転支持軸４とで構成されている。
該円筒体２の外縁部には適宜羽根３が概「へ」の字に該円筒体２の内側に切起されており、その切起により生じた開口部を流出口７としている。【００１７】  また、該円筒体２の上蓋には適宜流入口６が設けられており該上蓋中央には軸挿入孔８が穿設されている。
さらに、該円筒体２の底蓋中央にも軸挿入孔８ａが穿設されている。
そして、該円筒体２に上蓋、底蓋をそれぞれ固設する。【００１８】  また、回転支持軸４の両端には釣り糸を結ぶための孔５、５ａを形成する。
そして、該回転支持軸４を該円筒体２に回転自在に挿設する。【００１９】  すなわち上記円筒体２の上蓋中央、底蓋中央の軸挿入孔８、８ａに上記回転支持軸４を回転自在に挿設して、釣り糸を結ぶための孔５、５ａを形成する。
或いは、最初から該回転支持軸４の下端部に孔５ａを形成し、該回転支持軸４を該円筒体２に回転自在に挿設してから該回転支持軸４の上端部の孔５を形成してもよい。【００２０】  次に、本発明の第２の実施の形態を図４に基づいて説明する。【００２１】  図４において、回転支持軸４の下端部に錘９を固着し、該錘９と円筒体２の間に摩擦を軽減するためのビーズ玉のような回転補助具１０を設ける。
そして、該回転支持軸４を該円筒体２に回転自在に挿設する。【００２２】  以下、上記構成の動作を説明する。撒餌が流入口６から入れられ釣り人の竿の操作により海中に投入されたこませ籠１は、円筒体２の底蓋を下向きにして沈下していく。
目的の深さまで沈下した該こませ籠１はその場所で静止する。
次に、釣り人の竿の操作により該こませ籠１が引き上げられるとき、該円筒体２の上蓋流入口６から海水が該円筒体２に流入する。
該円筒体２に流入した海水は該円筒体２の内部を通過して撒餌と一緒に羽根３に沿って流出口７から流出する。
このとき海水の流出に応動して該円筒体２が回転する。
この動作は該こませ籠１が引き上げられている間中続く。【００２３】  また同時に、円筒体２の底蓋により海水が持ち上げられ、該円筒体２周囲の海水が攪拌される。
その結果、該円筒体２内の撒餌はこませ籠１が引き上げられている間中、該円筒体２周囲に放散され続け、さらに拡散される。【００２４】  円筒体２は回転支持軸４に回転自在に挿設されているので、該円筒体２の回転により該回転支持軸４に影響を与えない。
したがって、該回転支持軸４の孔５、５ａに結ばれている釣り糸等もなんら影響を受けることがない。
【実施例１】
【００２５】  本発明の実施例を図１〜図３において説明すると、円筒体２の外縁部に適宜流出口７を設け該流出口７の近傍には羽根３を適枚数形設する。
また、軸挿入孔８と流入口６を設け該流入口６から撒餌を収納することとした上蓋と、軸挿入孔８ａを設けた底蓋をそれぞれ該円筒体２に固設する。
そして、回転支持軸４を該円筒体２に回転自在に挿設し、釣り糸を結ぶための孔５、５ａを形成する。
【実施例２】
【００２６】  本実施例を図４において説明する。回転支持軸４の下端部に適宜な重さの錘９を固着し、該回転支持軸４を上述の円筒体２に回転自在に挿設し、該回転支持軸４の上端部に釣り糸を結ぶための孔５を形成する。
その場合、該錘９と該円筒体２の間には摩擦を軽減するためのビーズ玉のような回転補助具１０を設ける。
【実施例３】
【００２７】  本実施例を図５、図６において説明する。
上述のこませ籠１において、円筒体２の外縁部に撒餌収納口１２を設け、該撒餌収納口１２を覆うように蓋１１が開閉自在に形設されている。
【図面の簡単な説明】
【００２８】
【図１】  本発明の実施形態を示す斜視図
【図２】  本発明の正面図
【図３】  円筒体の図２におけるＡ−Ａ線断面図
【図４】  本発明の他の実施例を示す正面図
【図５】  本発明の他の実施例を示す正面図
【図６】  本発明の他の実施例を示す斜視図
【符号の説明】
【００２９】１  こませ籠
２  円筒体
３  羽根
４  回転支持軸
５、５ａ  孔
６  流入口
７  流出口
８、８ａ  軸挿入孔
９  錘
１０  回転補助具
１１  蓋
１２  撒餌収納口
【図１】
2006204270.tif 000003
【図２】
2006204270.tif 000004
【図３】
2006204270.tif 000005
【図４】
2006204270.tif 000006
【図５】
2006204270.tif 000007
【図６】
2006204270.tif 000008